(57)【要約】【課題】カーテン材を取り付けた後であっても、カーテンレールに容易に取り付けることができ、カーテン材のスライドもスムーズに行うことができるパネル型カーテンを提供すること。【解決手段】本発明は、カーテンレール５０のランナー５１に支持具３を介して吊着されたパネル型カーテン１００であって、支持具３を掛止可能である長尺の保持枠体１０と、該保持枠体１０に支持されたカーテン材１ａ，１ｂと、を備え、保持枠体１０が、表側にレール部３ａを有する第１連結バー２ａと、裏側に該第１連結バー２ａのレール部３ａにスライド可能に嵌め込まれた突出したスライダー２０を有する第２連結バー２ｂと、を有し、スライダー２０とレール部３ａとがバヨネット構造となっているパネル型カーテン１００である。【選択図】図１
2012168987.tif 000002
【特許請求の範囲】
【請求項１】
カーテンレールのランナーに支持具を介して吊着されたパネル型カーテンであって、
前記支持具を掛止可能である長尺の保持枠体と、
該保持枠体に支持されたカーテン材と、
を備え、
前記保持枠体が、表側にレール部を有する第１連結バーと、裏側に該第１連結バーのレール部にスライド可能に嵌め込まれた突出したスライダーを有する第２連結バーと、を有し、
前記スライダーと前記レール部とがバヨネット構造となっているパネル型カーテン。
【請求項２】
前記第１連結バー及び前記第２連結バーの上側端部及び下側端部にはいずれも前記支持具を掛止可能な孔が設けられている請求項１記載のパネル型カーテン。
【請求項３】
前記第２連結バーが表側にレール部を有する請求項１又は２に記載のパネル型カーテン。
【請求項４】
前記第１連結バーの裏側及び前記第２連結バーの裏側にタッチファスナが貼設されている請求項１〜３のいずれか一項に記載のパネル型カーテン。
【請求項５】
前記支持具が、側面Ｓ字状となっており、屈曲した屈曲部から先端に向かってストッパーが設けられている請求項１〜４のいずれか一項に記載のパネル型カーテン。
【請求項６】
前記スライダーが前記第２連結バーの横端部に固定されている請求項１〜５のいずれか一項に記載のパネル型カーテン。
【請求項７】
前記スライダーがベース部と、該ベース部に設けられた首部と、該首部に連結した頭部とからなり、
前記ベース部が前記第２連結バーの横端部に固定可能となっており、
前記首部と前記頭部とが側面視でＴ字状となっている請求項１〜５のいずれか一項に記載のパネル型カーテン。
【請求項８】
上記請求項１に記載のパネル型カーテンの連結方法であって、第１連結バーに対し第２連結バーを直角に配置し、その後、第１連結バーのレール部に第２連結バーのスライダーを押し込み、更にその後、第２連結バーを９０度回動させることにより第１連結バーに第２連結バーをスライド可能に連結したパネル型カーテンの連結方法。
【発明の詳細な説明】
【技術分野】
【０００１】
本発明は、パネル型カーテンに関し、更に詳しくは、少なくとも１本のカーテンレールで使用できるものであってカーテン保持部材の連結が簡単に行え、構造が複雑でなくスライドもスムーズに行えるパネル型カーテン及びその連結方法に関する。
【背景技術】
【０００２】
現在、部屋の遮蔽や部屋の仕切り、区切り等にパネル型カーテンが広く用いられている。
一般にこのパネル型カーテンは、カーテンレールにパネル型のカーテン材（通常，編物、織物等の布地）が吊り下げられ、複数のカーテン材が一列に配置されているものである。【０００３】
例えば、２本のカーテンレールを利用した例として、２本のガイドレール（カーテンレール）を並列配置し、各スクリーン生布の上部の左右両端付近にランナーを設け、左方のランナーを第１のガイドレール、右方のランナーを第２のガイドレールに沿って走行自在としたパネルスクリーン（例えば、特許文献１参照）、パネル又はカーテン生地が遊動的に掛けられたスラットを備え、スラットの両端部がそれぞれ第１共通トラック内部及び第２共通トラック内部でガイドされたカーテン装置（例えば、特許文献２参照）、第１及び第２カーテンレールが互いに所定の間隔をあけて並列に配置され、パネルスクリーンの上縁に第１及び第２ランナーが設けられ、第１ランナーが第１カーテンレールに走行可能に設けられ、第２ランナーが第２カーテンレールに走行可能に設けられた遮蔽装置（例えば、特許文献３参照）等が知られている。【０００４】
ところが、これらのカーテンは２本のガイドレールが必要となるので、カーテンレールが１本しかない場合は、設置することができない。
また、カーテンレールが２本ある場合であっても、設置されたカーテン材が大きく斜めに向いてしまうことになり、厚みが増す上、部屋の遮蔽や部屋の仕切り、区切り等が十分にできなくなる欠点がある。
また２本のガイドレールである以上、両者を近づけるにしても限度がある。【０００５】
これら以外にも、パネルを取り付け可能な複数のレール部を前後方向に配置し、各レール部の両端に設けた支持部にカーテンランナーに挿嵌可能な突起を備えたパネルカーテン用レール（例えば、特許文献４参照）、また平板状のパネルを複数のハンガーレールに沿って移動可能に支持し、パネルをハンガーレールから吊下支持する吊下げ枠を回動側吊下げ枠と非回動側吊下げ枠に分割し、回動側吊下げ枠を非回動側吊下げ枠に蝶番を支点として回動可能に片持ち支持したパネルカーテン（例えば、特許文献５参照）、また板状の複数枚のパネルを、前後方向に一定間隔を隔てた状態でハンガーレールに沿って移動可能に吊下支持したパネルカーテン（例えば、特許文献６参照）等、が知られている。
これらに対し、１本のカーテンレールを使ったパネル型カーテンも開発されている。
例えば、カーテンレールに移動自在に設けられたスライド部に位置をずらして重なるようにカーテン支持シートを取り付け、カーテン保持部材であるカーテン支持シートに固定された複数枚の立て式のリーフが重なるように移動する立て式カーテン（例えば、特許文献７参照）がある。
【先行技術文献】
【特許文献】
【０００６】
【特許文献１】実公平１−７８３０号公報
【特許文献２】特表２００６−５０７０６４号公報
【特許文献３】特開２００７−１３８６０１号公報
【特許文献４】特開２００５−４０２２６号公報
【特許文献５】特開２００７−１０５２３４号公報
【特許文献６】特開２００７−２４４６６１号公報
【特許文献７】特開２００６−２８０８５１号公報
【発明の概要】
【発明が解決しようとする課題】
【０００７】
しかしながら、この立て式カーテンは、構造が複雑であり、カーテン保持部材の連結が簡単には行い難い。
しかもカーテン保持部材の厚みも大きくなりコンパクトではない。
またカーテン材のスライドも必ずしもスムーズとはいえない。
更にまた、一旦、カーテン保持部材にカーテン材を取り付けた状態で、カーテンレールに取り付けることは極めて困難となる。【０００８】
本発明は、上記事情に鑑みてなされたものであり、少なくとも１本のカーテンレールで使用できるものであって、カーテン保持部材である連結バーの連結が簡単に行え、且つ構造が複雑でなくスライドもスムーズに行えるパネル型カーテンを提供することを目的とする。
【課題を解決するための手段】
【０００９】
本発明者は、上記課題を解決するため鋭意検討したところ、第１連結バーのレール部と、第２連結バーのスライダーとの連結にバヨネット構造を採用することにより、上記課題を解決し得ることを見出し、本発明を完成するに至った。【００１０】
本発明は、（１）カーテンレールのランナーに支持具を介して吊着されたパネル型カーテンであって、支持具に掛止可能である長尺の保持枠体と、該保持枠体に支持されたカーテン材と、を備え、保持枠体が、表側にレール部を有する第１連結バーと、裏側に該第１連結バーのレール部にスライド可能に嵌め込まれた突出したスライダーを有する第２連結バーと、を有し、前記スライダーとレール部とがバヨネット構造となっているパネル型カーテンに存する。【００１１】
本発明は、（２）第１連結バー及び第２連結バーの上側端部及び下側端部にはいずれも支持具を掛止可能な孔が設けられている上記（１）記載のパネル型カーテンに存する。【００１２】
本発明は、（３）第２連結バーが表側にレール部を有する上記（１）又は（２）に記載のパネル型カーテンに存する。【００１３】
本発明は、（４）第１連結バーの裏側及び第２連結バーの裏側にタッチファスナが貼設されている上記（１）〜（３）のいずれか一つに記載のパネル型カーテンに存する。【００１４】
本発明は、（５）支持具が、側面Ｓ字状となっており、屈曲した屈曲部から先端に向かってストッパーが設けられている上記（１）〜（４）のいずれか一つに記載のパネル型カーテンに存する。【００１５】
本発明は、（６）スライダーが第２連結バーの横端部に固定されている請求項（１）〜（５）のいずれか一つに記載のパネル型カーテンに存する。【００１６】
本発明は、（７）スライダーがベース部と、該ベース部に設けられた首部と、該首部に連結した頭部とからなり、ベース部が第２連結バーの横端部に固定可能となっており、首部と頭部とが側面視でＴ字状となっている請求項（１）〜（５）のいずれか一つに記載のパネル型カーテンに存する。【００１７】
本発明は、（８）、上記（１）に記載のパネル型カーテンの連結方法であって、第１連結バーに対し第２連結バーを直角に配置し、その後、第１連結バーのレール部に第２連結バーのスライダーを押し込み、更にその後、第２連結バーを９０度回動させることにより第１連結バーに第２連結バーをスライド可能に連結したパネル型カーテンの連結方法に存する。【００１８】
なお、本発明の目的に添ったものであれば上記の発明を適宜組み合わせた構成も採用可能である。
【発明の効果】
【００１９】
本発明のパネル型カーテンにおいては、少なくとも、１本のカーテンレールで使用できる。
そのため厚みが少なくなり極めてコンパクトなものとなる。
そして第１連結バーのレール部と、第２連結バーのスライダーとがバヨネット構造となっているので、「押し込み」と「回動」の単純な操作により連結バー同士の連結が極めて簡単に行える。
しかも構造が複雑でなくスライドもスムーズに行える。
たとえ第１連結バー及び第２連結バーにカーテン材を取り付けた状態であっても、第１連結バーに第２連結バーを容易に取り付けることができる。  【００２０】
本発明のパネル型カーテンにおいては、第１連結バー及び第２連結バーの上側端部及び下側端部に支持具を掛止可能な孔が設けられている場合、保持枠体を上下逆に用いることも可能となる。
なお、上下逆に用いた場合、カーテン材が取り付けられる面と、レール部を有する面とが逆になる。【００２１】
本発明のパネル型カーテンにおいては、第２連結バーが表側にレール部を有する場合、他の連結バーのスライダーを、第２連結バーのレール部に嵌め込むことにより、３枚のカーテン材を一列に配置することができる。
そして、それらを互いにスムーズにスライドさせることが可能となる。
このようにして、更に枚数の多いカーテン材を配置することができる。【００２２】
本発明のパネル型カーテンにおいては、第１連結バーの裏側及び第２連結バーの裏側にタッチファスナが貼付されていると、カーテン材を、該タッチファスナに単に押し付けるだけで、ワンタッチで簡単に取り付けることが可能となる。【００２３】
本発明のパネル型カーテンにおいては、支持具が、側面Ｓ字状となっており、屈曲した屈曲部から先端に向かってストッパーが設けられている場合、取り付けが容易であり、且つ外れにくいという利点がある。【００２４】
本発明のパネル型カーテンにおいては、スライダーが第２連結バーの横端部に固定されている場合、第２連結バーを大きく確実にスライドさせることができる。
また、スライダーがベース部を有する場合、該ベース部を第２連結バーの横端部に嵌合させることにより、スライダーを容易に固定することができる。
さらに、スライダーの首部と頭部とが側面視でＴ字状となっているので、レール部に容易に遊嵌させることができる。
【図面の簡単な説明】
【００２５】
【図１】図１は、本実施形態に係るパネル型カーテンの一例を示す部分斜視図である。
【図２】図２（ａ）は、本実施形態に係るパネル型カーテンの第１連結バーを示す表側図であり、図２（ｂ）は、その裏側図であり、図２（ｃ）は、図２（ａ）のＡ−Ａ線で切断した断面図である。
【図３】図３（ａ）は、本実施形態に係るパネル型カーテンの第２連結バーを示す表側図であり、図３（ｂ）は、裏側図である。
【図４】図４（ａ）は、本実施形態に係るパネル型カーテンに用いられるスライダーを示す上面図であり、図４（ｂ）は、図４（ａ）のスライダーを右方向から見た側面図である。
【図５】図５は、本実施形態に係るパネル型カーテンに取り付けられる支持具を示す側面図である。
【図６】図６（ａ）〜図６（ｃ）は、本実施形態に係るパネル型カーテンにおいて第１連結バーに第２連結バーを連結する方法を示す説明図である。
【図７】図７（ａ）は、本実施形態に係るパネル型カーテンにおいて第１レールにスライダーを押し込んだ状態を示す概略図であり、図７（ｂ）は、第１レールにスライダーを押し込んで回動させた状態を示す概略図である。
【図８】図８（ａ）は、実施形態に係るパネル型カーテンを開いた状態を示す図であり、図８（ｂ）は、実施形態に係るパネル型カーテンを閉じた状態を示す図である。
【発明を実施するための形態】
【００２６】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２７】
図１は、本実施形態に係るパネル型カーテンの一例を示す部分斜視図である。
図１に示すように、本実施形態に係るパネル型カーテン１００は、従来のカーテンレール５０のランナー５１に支持具３を介することにより吊着可能となっている。
パネル型カーテン１００は、支持具３に掛止可能である長尺の保持枠体１０と、該保持枠体１０に支持されたカーテン材１ａ，カーテン材１ｂとを備える。
【００２８】
また、保持枠体１０は、第１連結バー２ａと、該第１連結バー２ａに対して長手方向にスライド可能な第２連結バー２ｂと、を有する。
すなわち、上記パネル型カーテン１００においては、カーテン材（以下便宜的に「第１カーテン材」という。）１ａが第１連結バー２ａに支持され、カーテン材（以下便宜的に「第２カーテン材」という。）１ｂが第２連結バー２ｂに支持された状態で、互いにスライド可能となっている。
ここで、連結バーとカーテン材とは、後述するタッチファスナによって固定され支持状態が保たれる。
【００２９】
図２（ａ）は、本実施形態に係るパネル型カーテンの第１連結バーを示す表側図であり、図２（ｂ）は、その裏側図であり、図２（ｃ）は、図２（ａ）のＡ−Ａ線で切断した断面図である。
図２（ａ）及び図２（ｃ）に示すように、第１連結バー２ａは、表側にレール部（以下便宜的に「第１レール部」という。）３ａを有し、図２（ｂ）に示すように、裏側にタッチファスナ（以下便宜的に「第１タッチファスナ」という。）５ａが貼設されている。
【００３０】
第１連結バー２ａは、表側に第１レール部３ａを有するので、これに後述する第２連結バー２ｂのスライダー２０を嵌め込むことにより、第２連結バー２ｂが第１連結バー２ａに対して一直線上にスライドすることが可能となる。
また、裏側に第１タッチファスナ５ａが貼設されており、図２（ｃ）に示すようにカーテン材１ａを、第１タッチファスナ５ａに対して矢印方向に単に押し付けることにより簡単に取り付けることが可能となっている。
なおカーテン材１ａにも第１タッチファスナ５ａに固定できるタッチファスナが取り付けられている。
【００３１】
第１連結バー２ａは、両端に止め具６が嵌合して固定され、該止め具６により、第２連結バー２ｂのスライダー２０（図１参照）が第１レール部３ａから離脱するのを阻止する。
また、第１連結バー２ａにおいては、第１レール部３ａにネジ等で固定可能な位置決め具７が設けられており、これによって左右にスライドするスライダーを所望の位置で止めることができる。
すなわち、止め具６から位置決め具７までの距離Ｌを調整することにより、スライダーの移動幅を調整することができることとなる。
【００３２】
第１連結バー２ａは、上側端部に支持具３（図示しない）を掛止可能な孔８ａが設けられている。
したがって、第１連結バー２ａの孔８ａに支持具３の一端を掛止し、支持具３の他端をカーテンレール５０のライナー５１に取り付けることにより、第１連結バー２ａがカーテンレール５０に吊着されることになる。
【００３３】
第１連結バー２ａは、下側端部にも支持具３（図示しない）を掛止可能な孔８ｂが設けられている。
このため、第１連結バー２ａ（保持枠体１０）を上下逆に用いることも可能となる。
すなわち、上側端部に支持具３を取り付けることもでき、下側端部に支持具３を取り付けることもできる。  
【００３４】
図３の（ａ）は、本実施形態に係るパネル型カーテンの第２連結バーを示す表側図であり、（ｂ）は、裏側図である。
図３の（ａ）に示すように、第２連結バー２ｂは、表側にレール部（以下便宜的に「第２レール部」という。）３ｂを有し、また図３の（ｂ）に示すように、裏側にタッチファスナ（以下便宜的に「第２タッチファスナ」という。）５ｂが貼設されている。
【００３５】
第２連結バー２ｂは、表側に第２レール部３ｂを有するので、例えば、第２連結バー２ｂと同じ形状の連結バー（以下便宜的に「第３連結バー」という。）を準備し、この図示しない第３連結バーのスライダーを、第２連結バー２ｂの第２レール部３ｂに嵌め込むことにより、３枚のカーテン材を一列に配置することができ、且つ互いにスムーズにスライドさせることが可能となる。
なお、同じ形状の連結バーを更に準備して、同様に第３連結バーに嵌め込むことにより、４枚のカーテン材を一列に配置することができ、さらに、これを繰り返すことによって、カーテン材を所望の数だけ配置することが可能となる。
これら、各連結バーは、支持具３によりカーテンレール５０のライナー５１に吊り下げられていることは云うまでもない。
また、裏側には第２タッチファスナ５ｂが貼設されていることから、第２カーテン材１ｂを、第２タッチファスナ５ｂを利用してワンタッチ操作で簡単に取り付けることが可能となっている。
【００３６】
以上のように、１本のカーテンレールを使用することにより、多数枚のカーテン材を配置することができる。
１本のカーテンレールを使うだけなので、多数枚のカーテン材となっても、従来のものと異なって厚みが大きくならずコンパクトである。
【００３７】
第２連結バー２ｂは、その一方の横端部にスライダー２０（詳しくはスライダーの薄肉部２０ｃ２）が、他方の横端部に止め具１６が嵌合され、それぞれがネジＮ等を使って確実に固定されている。
なお、スライダー２０は、止め具の働きも兼ねているので、更に第３連結バーを取り付けた場合、そのスライダーが第２レール部３ｂから離脱するのが阻止される。
【００３８】
図４（ａ）は、本実施形態に係るパネル型カーテンに用いられるスライダーを示す上面図であり、図４（ｂ）は、図４（ａ）のスライダーを右方向から見た側面図である。
図４の（ａ）及び図４（ｂ）に示すように、スライダー２０は、ベース部２０ｃ（これは基部２０ｃ１と該基部２０ｃ１の側面から直角に延長された薄肉部２０ｃ２とよりなる）と、該ベース部２０ｃの側面にそれより細く立設された首部２０ａと、該首部２０ａより拡大した頭部２０ｂとからなる。
このように首部２０ａと頭部２０ｂとが側面視でＴ字状となっている。
それより細く立設された首部２０ａと、該首部２０ａより拡大した頭部２０ｂとからなる。
従って、ベース部２０ｃと頭部２０ｂとの間には首部２０ａの長さに相当する空間が生じている。
ベース部２０ｃ、詳しくはベース部２０ｃの一部が、第２連結バー２ｂの横端部に嵌合することにより固定可能となっている（図３参照）。
すなわち薄肉部２０ｃ２は第１レール部３ａの内部の空隙に嵌っている。
その際、薄肉部２０ｃ２の両側面に備わっている弾性片２０ｂ１が第１レール部３ａの内壁面を押圧するので余裕をもって嵌合することができる。
このように、スライダー２０を第２連結バー２ｂに容易に固定することができるのである。
なお、スライダー２０は、ネジ等を使ってより確実に固定することは前述した。
また、首部２０ａと頭部２０ｂとは、側面視でＴ字状となっているので、首部２０ａを摘むことで第１レール部３ａに容易に遊嵌させることができる。
【００３９】
第２連結バー２ｂは、第１連結バー２ａと同様に、上側端部に支持具３（図示しない）を掛止可能な孔１８ａが設けられている。したがって、第２連結バー２ｂの孔１８ａに支持具３の一端を掛止し、他端をカーテンレール５０のライナーに取り付けることにより、第２連結バー２ｂがカーテンレール５０に吊着されることになる。
【００４０】
第２連結バー２ｂは、第１連結バー２ａと同様に、下側端部にも支持具３（図示しない）を掛止可能な孔１８ｂが設けられている。
このため第２連結バー２ｂ（保持枠体１０）を上下逆に用いることも可能となる。
すなわち、上側端部に支持具３を取り付けることもでき、下側端部に支持具３を取り付けることもできる。
【００４１】
図５は、この本実施形態に係るパネル型カーテンに取り付けられる支持具を示す側面図である。
図５に示すように、この支持具３は、側面Ｓ字状となっており、屈曲した屈曲部１３ａから先端に向かってストッパー１３ｂが設けられている。
これにより、取り付けが容易であり、且つ外れにくいという利点がある。
なお、カーテンレール側に掛止される屈曲部の曲率は大きく、カーテン材側に掛止される屈曲部の曲率は小さい。
そしてカーテンレール側の屈曲部の先端部は外側に直線上に延びて延長部１３ａ１が形成されている。支持具３は、この延長部１３ａ１を備えることにより、指を使って支持具３をカーテンレール５０のランナー５１に容易に掛止させることができる利点がある。
【００４２】
本実施形態に係るパネル型カーテン１００においては、支持具３の一方端（屈曲部）を第１連結バー２ａの孔８ａに挿入し、他端をカーテンレール５０のランナー５１に挿入して掛止することにより、第１連結バー２ａが支持具３を介して、カーテンレール５０のランナー５１に吊着されることになる。
同様に、別の支持具３の一端を第２連結バー２ｂの孔１８ａに挿入し、他方の先端をカーテンレール５０のランナー５１に挿入して掛止することにより、第２連結バー２ｂが支持具３を介して、カーテンレール５０のランナー５１に吊着されることになる。
このとき、上述したように、支持具３は、ストッパー１３ｂを備えているので、ランナー５１や孔８ａ，１８ａから不作為に外れることが抑制される。
【００４３】
次に、本実施形態に係るパネル型カーテン１００において、第１連結バー２ａを第２連結バー２ｂに嵌め込んで連結する方法について説明する。
なお、ここでは、連結バー単独で示すが、カーテン材を取り付けた状態でも嵌め込む操作は同じである。
図６（ａ）〜図６（ｃ）は、本実施形態に係るパネル型カーテンにおいて第１連結バーに第２連結バーを嵌め込む操作を説明するための説明図である。
また、図７（ａ）は、本実施形態に係るパネル型カーテンにおいて第１レールにスライダーを押し込んだ状態を示す概略図であり、図７（ｂ）は、第１レールにスライダーを押し込んで且つ回動させた状態を示す概略図である。
【００４４】
まず、図６（ａ）に示すように、第１連結バー２ａに対し、第２連結バー２ｂを９０度の角度に配置する。
この時、スライダーの頭部２０ｂの長辺の方向が垂下部Ｐ１及び起立部Ｐ２の間に沿って対向した状態となる。
なお、第１連結バー２ａは支持具３を介してカーテンレール５０のランナー５１に吊り下げられている。
次にこの状態で第１レール部３ａの空隙にスライダー２０の頭部２０ｂを押し込む（押し込みステップ）。
【００４５】
ここで、スライダー２０の頭部２０ｂの短辺の長さＬ１、頭部２０ｂの長辺の長さＬ２、ベース部２０ｃの長さＬ５、及び、第１連結バー２ａにおける第１レール部３ａの垂下部Ｐ１と起立部Ｐ２の間の距離Ｌ３、第１連結バー２ａにおける第１レール部３ａの内部空隙の距離Ｌ４（すなわち、空隙を形成する上壁と下壁との間の距離）、の関係は、
・Ｌ１＜Ｌ３＜Ｌ２＜Ｌ４
・Ｌ３＜Ｌ５
となっている。
このように、頭部２０ｂの短辺の長さＬ１が第１レール部３ａの内部空隙の距離Ｌ３よりも小さくなっているので、図７（ａ）に示すように、スライダー２０を押し込んで第１レール部３ａに容易に嵌め込むことができる。
【００４６】
そして、図６（ｂ）、図６（ｃ）に示すように、第１連結バー２ａに対し、第２連結バー２ｂを９０度回動させ、第１連結バー２ａと第２連結バー２ｂとを一直線にする（回動ステップ）。
【００４７】
図７（ｂ）に示すように、頭部２０ｂの長辺の長さＬ２が、第１レール部３ａの内部空隙の距離Ｌ４よりも小さくなっているので回動が容易に行える。
これで第１連結バー２ａに対して第２連結バー２ｂがスライド可能に連結されたことになる。
頭部２０ｂの長辺の長さＬ２が、第１レール部３ａの垂下部Ｐ１及び起立部Ｐ２の間の距離Ｌ３よりも大きくなっており、スライダー２０をスライドさせても第１レール部３ａからの離脱は阻止される。
【００４８】
このように、本実施形態に係るパネル型カーテンは、スライダー２０と第１レール部３ａとが「押し込み」と「回動」との簡単な操作により結合される極めて便利なバヨネット構造になっている。
このため、第１連結バー２ａに第１カーテン材１ａを、第２連結バー２ｂに第２カーテン材１ｂを取り付けた状態であっても、第１連結バー２ａに第２連結バー２ｂを容易に取り付けることが可能となる。
特に、第１カーテン材１ａを取り付けた状態の第１連結バー２ａをカーテンレール５０に取り付けた後に、今度は、第２カーテン材１ｂを取り付けた状態の第２連結バー２ｂを第１連結バー２ａに容易に取り付けることができる。
その理由は第２連結バー２ｂのスライダー２０を「押し込み」と「回動」の操作により、簡単に第１連結バー２ａの第１レール部３ａに嵌め込むことができるからである。
このように上記パネル型カーテン１００においては、カーテン材１ａ，１ｂを取り付けた後であっても、カーテンレール５０に容易に取り付けることができる利点がある。
また、上記パネル型カーテン１００においては、構造がシンプルであるので、第１連結バー２ａに対して、第２連結バー２ｂをスムーズにスライドさせることが可能となる。
なお、好ましくは、頭部２０ｂの下端面が第１連結バー２ａの内部空隙の下壁に当接して滑ることにより、スムーズな動きとなる。
【００４９】
図８は、一本のカーテンレール５０に４つの連結バーに各々４枚のカーテン材を吊着したパネル型カーテンの例を示す図であり、図８（ａ）は、パネル型カーテンを開いた状態を示し、また図８（ｂ）は、パネル型カーテンを閉じた状態を示す。
【００５０】
以上、本発明の好適な実施形態について説明したが、本発明は上記実施形態に限定されるものではない。
【００５１】
例えば、スライダーは押し込んで回動することにより連結バーに嵌め込めるものであれば、頭部の形状は直方体に曲面を付与した形でもよく、ベース部の形も多少の変更が可能である。
またパネル型カーテン１００の保持枠体１０は、第１連結バー２ａと第２連結バー２ｂの少なくとも二つの連結バー２を有しているが、更に多くの連結バーを備えることも当然可能である。
【００５２】
本実施形態に係るパネル型カーテン１００において、連結バーには、タッチファスナが貼設されているが、例えば、タッチファスナ以外のものでカーテン材を簡単に取り付けられるものであれば、採用可能である。
【００５３】
本実施形態に係るパネル型カーテン１００においては、支持具３の形状が側面Ｓ字状となっているが、これに限定されない。
また、第１連結バー２ａに対し、２つの支持具３が取り付けられ、第２連結バー２ｂに対し、２つの支持具３が取り付けられているが、孔８ａ、８ｂ、１８ａ、１８ｂの数を増やして支持具の取り付け数を多くすることも可能である。
また連結バーはアルミ等の金属で、またスライダーは合成樹脂で形成されていることが、好ましいが、必ずしも、このように限定されることはない。
【００５４】
本実施形態に係るパネル型カーテン１００に用いられるカーテン材１ａ，１ｂとしては、紙、布、フィルム等、公知のものが適宜用いられる。
【産業上の利用可能性】
【００５５】
本発明に係るパネル型カーテン１００は、部屋の遮蔽や部屋の仕切り、区切り等に好適に用いられる。本発明に係るパネル型カーテン１００によれば、カーテン材を取り付けた後であっても、カーテンレールに容易に取り付けることができ、カーテン材のスライドもスムーズに行うことができる。
【符号の説明】
【００５６】
１ａ・・・第１カーテン材（カーテン材）
１ｂ・・・第２カーテン材（カーテン材）
２ａ・・・第１連結バー
２ｂ・・・第２連結バー
３・・・支持具
３ａ・・・第１レール部（レール部）
３ｂ・・・第２レール部（レール部）
５ａ・・・第１タッチファスナ（タッチファスナ）
５ｂ・・・第２タッチファスナ（タッチファスナ）
６・・・止め具
７・・・位置決め具
８ａ，８ｂ，１８ａ，１８ｂ・・・孔
１０・・・保持枠体
１３ａ・・・屈曲部
１３ａ１・・・延長部
１３ｂ・・・ストッパー
２０・・・スライダー
２０ａ・・・首部
２０ｂ・・・頭部
２０ｂ１・・・弾性片
２０ｃ・・・ベース部
２０ｃ１・・・基部
２０ｃ２・・・薄肉部
５０・・・カーテンレール
５１・・・ランナー
１００・・・パネル型カーテン
Ｌ１・・・短辺の長さ
Ｌ２・・・長辺の長さ
Ｌ，Ｌ３，Ｌ４・・・距離
Ｌ５・・・ベース部の長さ
Ｎ・・・ネジ
Ｐ１・・・垂下部
Ｐ２・・・起立部
【図１】
2012168987.tif 000003
【図２】
2012168987.tif 000004
【図３】
2012168987.tif 000005
【図４】
2012168987.tif 000006
【図５】
2012168987.tif 000007
【図６】
2012168987.tif 000008
【図７】
2012168987.tif 000009
【図８】
2012168987.tif 000010
【国際調査報告】
2012168987.tif 000011
2012168987.tif 000012